(57)【要約】【課題】防弾用生地や防刃用生地を重ね合わせることなく適正に連結することができる防護生地の連結構造を提供する。【解決手段】互いに連結される防護生地１１，１２の対向する第１端縁１１ａ及び第２端縁１２ａに対し、第１及び第２連結用帯布１３，１４を横断面がヘアピン状になるように変形して前記両端縁をそれぞれ被覆する。両連結用帯布１３，１４の幅方向の両側縁を第１及び第２ステッチ１５，１６により前記第１及び第２端縁１１ａ，１２ａにそれぞれ縫い合せ、両連結用帯布１３，１４の幅方向の中間部のループ部１３ｃ，１４ｃを四層に重ね合わせて第３ステッチ１７により両ループ部１３ｃ，１４ｃを縫い合わせる。【選択図】図１
2008038302.tif 000002
【特許請求の範囲】
【請求項１】
互いに連結される防護生地の対向する第１端縁及び第２端縁に対し、第１連結用帯布及び第２連結用帯布をそれらの横断面が袋状になるように変形して前記両端縁をそれぞれ被覆し、両連結用帯布の幅方向の両端縁を第１ステッチ及び第２ステッチにより前記第１端縁及び第２端縁にそれぞれ縫い合せ、両連結用帯布の幅方向の中間部に形成された第１ループ部及び第２ループ部を四層に積層して第３ステッチにより両ループ部を縫い合わせたことを特徴とする防護生地の連結構造。
【請求項２】
請求項１において、前記第１ループ部及び第２ループ部は、前記生地の第１端縁及び第２端縁が同じ位置に重ね合わされた状態で第３ステッチにより縫い合わされたものであることを特徴とする防護生地の連結構造。      
【請求項３】
請求項１又は２において、前記両連結用帯布の幅方向の両側縁は、該帯布と第１端縁及び第２端縁の表面との間に入り込むようにそれぞれ折り返され、各折り返し部を端縁に縫い合わせるように前記第１及び第２ステッチが形成されていることを特徴とする防護生地の連結構造。
【請求項４】
請求項１〜３のいずれか一項に記載の防護生地の連結構造を用いて複数の防護生地を連結して形成されたことを特徴とする防護服。
【請求項５】
請求項４において、前記防護生地は防刃生地であって、前記防刃生地のうち胸部の前身頃及び後身頃を形成する防刃生地の裏面には、防弾シートを挿入可能な収容袋が装着されていることを特徴とする防護服。
【発明の詳細な説明】
【技術分野】
【０００１】
本発明は、例えば暴漢の刃物による人体の殺傷を防ぐための防刃生地や銃器の弾丸を防ぐための防弾生地等の防護生地の連結構造及びそれを用いた防護服に関する。
【背景技術】
【０００２】
従来、防刃服（チョッキ）として、特許文献１に開示されたものが提案されている。この防刃チョッキは、後見頃及び左右の前見頃の各内面に形成された少なくとも３個のポケット部と、後見頃のポケット部内に装脱可能に装填される後見頃補強板と、左前見頃のポケット部内に装脱可能に装填される左前見頃補強板と、右前見頃のポケット部内に装脱可能に装填される右前見頃補強板と、左右の前見頃を着脱自在に連結する前見頃連結部とを備えている。
【０００３】
又、防弾チョッキとして、特許文献２に開示されたものが提案されている。この防弾チョッキは、高強度織物製のチョッキ本体と、このチョッキ本体における前身頃及び後身頃の各内面に形成したポケット部と、そのポケット部内にそれぞれ装脱可能に装填された弾丸貫通防止用の補強材とにより構成されている。
【特許文献１】特開２００５−２５６２２３号公報
【特許文献２】特開平７−５５３９８号公報
【発明の開示】
【発明が解決しようとする課題】
【０００４】
ところが、上記従来の防刃チョッキや防弾チョッキは、身体の上半身の胸部のみを防護することしかできないので、防護能力が低いという問題があった。このように防刃や防弾機能を有する衣服としてチョッキの形態を採用せざるを得なかったのは、防刃生地や防弾生地の端縁を重ね合わせて縫い合わせることができなかったからである。
【０００５】
上記の問題を解消するためには複数の防刃用生地や防弾用生地を重ね合わせることなく相互に屈曲可能に連結することができればよいが、従来はそれに適した防護生地の連結構造が提案されていなかった。
【０００６】
本発明の目的は、防弾用生地や防刃用生地等の防護生地の端縁を重ね合わせることなく適正に連結することができる防護生地の連結構造及びそれを用いた防護服を提供することにある。
【課題を解決するための手段】
【０００７】
上記問題点を解決するために、請求項１に記載の発明は、互いに連結される防護生地の対向する第１端縁及び第２端縁に対し、第１連結用帯布及び第２連結用帯布をそれらの横断面が袋状になるように変形して前記両端縁をそれぞれ被覆し、両連結用帯布の幅方向の両端縁を第１ステッチ及び第２ステッチにより前記第１端縁及び第２端縁にそれぞれ縫い合せ、両連結用帯布の幅方向の中間部に形成された第１ループ部及び第２ループ部を四層に積層して第３ステッチにより両ループ部を縫い合わせたことを要旨とする。
【０００８】
請求項２に記載の発明は、請求項１において、前記第１ループ部及び第２ループ部は、前記生地の第１端縁及び第２端縁が同じ位置に重ね合わされた状態で第３ステッチにより縫い合わされたものであることを要旨とする。
【０００９】
請求項３に記載の発明は、請求項１又は２において、前記両連結用帯布の幅方向の両側縁は、該帯布と第１端縁及び第２端縁の表面との間に入り込むようにそれぞれ折り返され、各折り返し部を端縁に縫い合わせるように前記第１及び第２ステッチが形成されていることを要旨とする。
【００１０】
請求項４に記載の発明は、請求項１〜３のいずれか一項に記載の防護生地の連結構造を用いて複数の防護生地を連結して形成されたことを要旨とする。
請求項５に記載の発明は、請求項４において、前記防護生地は防刃生地であって、前記防刃生地のうち胸部の前身頃及び後身頃を形成する防刃生地の裏面には、防弾シートを挿入可能な収容袋が装着されていることを要旨とする。
【００１１】
（作用）
請求項１〜３のいずれか一項に記載の発明は、両連結用帯布の幅方向の中間部のループ部を四層に重ね合わせて第３ステッチにより両ループ部を縫い合わせたので、防護生地の対向する端縁を露出しないように適正に連結することができる。
【００１２】
請求項４又は５に記載の発明は、防護服が防護生地の連結構造を用いて複数の防護生地を連結して形成されているので、防護生地の面積を広くすることができ、防護服の保護領域を容易に広くすることができる。
【発明の効果】
【００１３】
本発明の防護生地の連結構造によれば、防刃生地や防弾生地等の防護生地の対向する端縁を重ね合わせることなく適正に連結することができる。
本発明の防護服によれば、複数の防護生地を連結構造により容易に連結することができ、防護服の防護面積を広くすることができ、保護領域を容易に広くすることができる。
【発明を実施するための最良の形態】
【００１４】
以下、本発明を防弾機能を有する防刃服に具体化した一実施形態を図面にしたがって説明する。
最初に、図１及び図２に基づいて、防刃服を形成する第１及び第２防刃生地１１，１２の端縁の連結方法について説明する。
【００１５】
図２（ａ），（ｂ）に示すように、第１及び第２防刃生地１１，１２の第１及び第２端縁１１ａ，１２ａに対し、第１及び第２連結用帯布１３，１４の幅方向の左右両側端縁を折り曲げて折り返し部１３ａ，１３ｂ、１４ａ，１４ｂを形成する。この折り返し部１３ａ，１３ｂ、１４ａ，１４ｂを端縁１１ａ，１２ａの表面に接触し、本縫いミシンにより形成した第１及び第２ステッチ１５，１６により第１及び第２防刃生地１１，１２と、第１及び第２連結用帯布１３，１４とを縫い合わせる。  
【００１６】
次に、図２（ｃ）に示すように、第１及び第２防刃生地１１，１２の第１及び第２連結用帯布１３，１４を上下に重ね合わせて、第１及び第２連結用帯布１３，１４の幅方向の中間部の両ループ部１３ｃ，１４ｃを四層に重ね合わせて本縫いミシンにより形成した第３ステッチ１７により両ループ部１３ｃ，１４ｃを縫い合わせる。この状態の斜視図を図１に示す。
【００１７】
次に、図２（ｃ）に示す第１及び第２防刃生地１１，１２を図２（ｄ）に示すように展開すると、第１及び第２防刃生地１１，１２が第１及び第２連結用帯布１３，１４及び第１〜第３ステッチ１５〜１７によって連結された状態となる。
【００１８】
以下に、上記の第１及び第２防刃生地１１，１２の連結構造１８を用いて防刃生地から図３及び図４に示す防刃服を製造する方法について説明する。
最初に、防刃服を構成する複数の防護生地よりなる各種の身頃を、図５〜図８に基づいて説明すると、図５に示すように前身頃は、左右の上部前身頃２１Ａ，２１Ｂと、左右下部前身頃２２Ａ，２２Ｂとに裁断されている。図６に示すように後見頃は、左右上部後身頃２３Ａ，２３Ｂ、中央部の後身頃２４、左右下部後身頃２５Ａ，２５Ｂ、及び背身頃２６に裁断されている。
【００１９】
又、袖身頃は、図７に示すように四つの袖身頃２７〜３０に裁断されている。さらに、図８に示すように襟身頃３１は一枚の生地が用いられる。
図９に示すように前記左上部前身頃２１Ａの裏面には、防弾シート（図示略）を収容するための収容袋４１が取り付けられている。この収容袋４１は複数のホック４２により上部前身頃２１Ａに対し取り外し可能に取り付けられている。この収容袋４１の下端縁には、スライド（線）ファスナー４３が設けられ、スライドファスナー４３を開放することにより防弾シートを収容袋４１内に下方から収容できるようにしている。図示しないが、右上部前身頃２１Ｂにも前記収容袋４１と同様の収容袋４１が設けられている。前記収容袋４１を上部前身頃２１Ａ，２１Ｂにステッチにより縫い付けてもよい。
【００２０】
図１０に示すように、前記背身頃２６及び左右上部後身頃２３Ａ，２３Ｂの裏面には、防弾シート（図示略）を収容するための収容袋４５が取り付けられている。この収容袋４５は複数のホック４６により身頃から取り外し可能に取り付けられている。この収容袋４５の下端縁には、スライド（線）ファスナー４７が設けられ、スライドファスナー４７を開放することにより防弾シートを収容袋４５内に収容できるようにしている。前記収容袋４５を背身頃２６にステッチにより縫い付けてもよい。
【００２１】
以上の各種の身頃により図３及び図４に示すような防刃服が製造される。この防護服は、チョッキと異なり、身体の上半身全体を防護するものであり、複数の身頃の第３ステッチ１７による縫合（仕立て）作業は、従来周知の背広の上着の仕立て作業とほぼ同様に行われる。図３及び図４において、三本線で示す部分は、前記連結構造１８によって連結された部分である。各身頃の連結されない二本線で示す縁部は、従来のパイピングテープを用いた縁飾り構造を示す。なお、この縁飾り構造は、図２（ａ）において、ループ部１３ｃが第１防刃生地１１の端縁にぴったり接触した構造のものである。
【００２２】
図４に示すように、前記左右上部後身頃２３Ａ，２３Ｂ及び後身頃２４の縦方向の端縁は、縫い合わされることなく、オバーラップするように接触され、背部の通気性を向上するとともに、胸囲方向への身頃２３Ａ，２３Ｂ，２４の拡張が可能になっている。
【００２３】
図２（ｄ）に示す前記連結構造１８は、ループ部１３ｃ，１４ｃの先端部が図３及び図４に示す防刃服の内側に隠れるように施される。
上記のように構成された防刃服は、防刃生地よりなる各種の身頃により暴漢の例えはナイフや短刀等の刃物から身を守ることができるとともに、収容袋４１，４５に収容した防弾生地により銃器から発射された弾丸から身を守ることもできる。
【００２４】
上記実施形態の防刃服によれば、以下のような効果を得ることができる。
（１）上記実施形態では、前記防刃生地１１，１２に第１及び第２連結用帯布１３，１４を第１及び第２ステッチ１５，１６により縫い合わせ、第１及び第２連結用帯布１３，１４のループ部１３ｃ，１４ｃを四層に重ね合わせて第３ステッチ１７により縫い合わせ、第１及び第２防刃生地１１，１２を連結した。このため、重ね合わせて縫い合わせることが極めて困難な二枚の防刃生地１１，１２を容易に連結することができる。
【００２５】
（２）上記実施形態では、前記第１端縁１１ａ及び第２端縁１２ａが同じ位置に重ね合わされた状態で両連結用帯布１３，１４のループ部１３ｃ，１４ｃが四層に積層された状態で第３ステッチ１７により縫い合わされている。このため、第３ステッチ１７が片側のみに現れ、防刃服の内側にループ部１３ｃ，１４ｃの先端部が存在するように連結構造１８を適用した場合に、第３ステッチ１７が防刃服の外部からは見えなくなり、ループ部１３ｃ，１４ｃの縫合部の外観を向上することができる。
【００２６】
（３）上記実施形態では、各身頃の防刃生地１１，１２を連結構造１８を用いて連結したので、防刃服の防刃面積を容易に広くすることができ、防刃服の保護領域を容易に広くすることができる。又、縫い合わされた各身頃が連結構造１８を中心に屈曲し、着用者の動きに合わせて、防刃服が適度に変形し、着用感を向上することができる。
【００２７】
（４）上記実施形態では、両連結用帯布１３，１４の両側縁の折り返し部１３ａ，１３ｂ、１４ａ，１４ｂが前記第１及び第２ステッチ１５，１６により第１及び第２防刃生地１１，１２の端縁１１ａ，１２ａに縫い合わされている。このため、両連結用帯布１３，１４の両側縁の外観を向上することができるとともに、帯布１３，１４の両側縁の糸の解れを防止することができる。
【００２８】
（５）上記実施形態では、防刃服の内側に収容袋４１及び収容袋４５を設け、この収容袋４１，４５に防弾シートを収容可能にした。このため、必要に応じて収容袋４１，４５に防弾シートを収容して防刃服に防弾機能を付与することができる。
【００２９】
なお、上記実施形態は以下のように変更してもよい。
・前記防刃生地１１，１２に代えて、図示しないが、防弾生地を用いて、図３，４に示すような構造の防弾服を製造することもできる。
【００３０】
・前記第１及び第２連結用帯布１３，１４として、左右両側縁が解れ防止されたものを使用して、折り返し部１３ａ，１３ｂ，１４ａ，１４ｂを省略してもよい。この場合には、第１及び第２防刃生地１１，１２に対する第１及び第２連結用帯布１３，１４の縫い合わせ作業を容易に行うことができる。
【００３１】
・図２（ａ）及び（ｂ）の第１及び第２連結用帯布１３，１４のループ部１３ｃ，１４ｃを図２（ｃ）のように同じ側に積層しないで、ループ部１３ｃ，１４ｃの先端部を四層に積層して第３ステッチ１７により縫い合わせてもよい。
【００３２】
・図示しないが防護ズボンに具体化したり、防護コートに具体化したり、その他の各種の防護衣服に具体化したりしてもよい。
【図面の簡単な説明】
【００３３】
【図１】この発明の防護生地の連結構造を具体化した一実施形態を示す斜視図。
【図２】（ａ），（ｂ）は、防護生地に第１及び第２連結用帯布を縫い合わせた状態を示す端面図、（ｃ）は第１及び第２連結用帯布のループ部を縫い合わせた状態を示す端面図、（ｄ）は防護生地を展開した状態を示す端面図。
【図３】防刃服の正面図。
【図４】防刃服の背面図。
【図５】防刃服を形成する複数の前身頃の分離された展開図。
【図６】防刃服を形成する複数の後身頃の分離された展開図。
【図７】防刃服を形成する複数の腕身頃の分離された展開図。
【図８】防刃服の襟身頃の展開図。
【図９】前身頃の裏面図。
【図１０】後身頃の裏面図。
【符号の説明】
【００３４】
１１，１２…防刃生地、１１ａ…第１端縁、１２ａ…第２端縁、１３…第１連結用帯布、１３ａ，１３ｂ，１４ａ，１４ｂ…折り返し部、１３ｃ，１４ｃ…ループ部、１４…第２連結用帯布、１５…第１ステッチ、１６…第２ステッチ、１７…第３ステッチ、１８…連結構造、４１，４５…収容袋。
【図１】
2008038302.tif 000003
【図２】
2008038302.tif 000004
【図３】
2008038302.tif 000005
【図４】
2008038302.tif 000006
【図５】
2008038302.tif 000007
【図６】
2008038302.tif 000008
【図７】
2008038302.tif 000009
【図８】
2008038302.tif 000010
【図９】
2008038302.tif 000011
【図１０】
2008038302.tif 000012